(57)【要約】【課題】スロットコアを有する偏向ヨークおいて、水平・垂直の両偏向コイル間の絶縁を確実なものとすると共に、巻線パターンの自由度を高めること。【解決手段】フェライトコア内面の電子銃側寄りの領域に、管軸方向に沿う畝状をしたコア凸部Ｒ１，Ｒ２，…，Ｒ２０が周方向に所定の間隔で形成され、隣接するコア凸部でコア溝Ｓ１，…が形成されている。コア溝Ｓ１，…には、水平偏向コイル３０と垂直偏向コイルが巻装されている。フェライトコアには、水平偏向コイルと３０と垂直偏向コイルに挟まれ両偏向コイルを絶縁する漏斗状をした絶縁枠２８が装着されている。絶縁枠２８における、管軸方向前記コア凸部Ｒ１，Ｒ２，…，Ｒ２０よりも蛍光体スクリーン側内面には、水平偏向コイル３０を案内する案内溝Ｇ１，Ｇ２，…，Ｇ２６が形成されている。【選択図】　　　　　図２
2004071541.tif 000002
【特許請求の範囲】
【請求項１】
陰極線管の外周に配される偏向ヨークであって、
漏斗状をした磁性体からなり、内周面において小径側端部から大径側端部に至る途中まで、畝状をした凸部が周方向所定の間隔で複数本形成され、隣接する凸部でコア溝が形成されていると共に、大径側端部寄りの残余の内周が滑らかな面に仕上げられてなるコアと、
一部が前記コア溝に案内されて当該コアに巻装されている第１の偏向コイルと、
前記第１の偏向コイルの内側に配された第２の偏向コイルと、
前記第１の偏向コイルと第２の偏向コイルとに挟まれた枠体であって、前記コアの前記滑らかな面に対応する部分および／または前記大径側端部から前記陰極線管の管軸方向にはみ出した部分に前記管軸方向に沿う案内溝が前記周方向に複数条形成されてなる絶縁枠とを有し、
前記第２の偏向コイルは、その一部が前記案内溝に案内されて巻装されていることを特徴とする偏向ヨーク。
【請求項２】
前記案内溝が、前記コア溝とは前記周方向異なる間隔で形成されていることを特徴とする請求項１記載の偏向ヨーク。
【請求項３】
前記第２の偏向コイルは、その一部が前記コア溝に配設されており、
前記絶縁枠は、前記滑らかな面に対応する部分から前記コア溝毎に延出され、短冊状をした帯状部を有することを特徴とする請求項１または２記載の偏向ヨーク。
【請求項４】
前記絶縁枠は、前記帯状部の各端部を連結するリング部を有することを特徴とする請求項３記載の偏向ヨーク。
【請求項５】
前記第２の偏向コイルは、その一部が前記コア溝に配設されており、
前記絶縁枠は、前記滑らかな面に対応する部分から前記コア溝毎に延出され、前記コア溝の横断面形状に適合した横断面に形成された帯状部を有することを特徴とする請求項１または２記載の偏向ヨーク。
【請求項６】
前記絶縁枠は、前記コアの前記コア溝の存する領域に対応する部分が、当該領域の凹凸に適合するひだ状をした筒状部を有することを特徴とする請求項１または２記載の偏向ヨーク。
【請求項７】
前記第２の偏向コイルは、その一部が前記コア溝に配設されて巻装されており、
前記案内溝が前記コア溝と、前記管軸方向に所定の間隔を隔てて設けられていることを特徴とする請求項１または２記載の偏向ヨーク。
【請求項８】
陰極線管と、
当該陰極線管の外周に配された、請求項１〜７のいずれか１項に記載の偏向ヨークとを備えることを特徴とする陰極線管装置。
【発明の詳細な説明】
【０００１】
【発明の属する技術分野】
本発明は、テレビジョンやコンピュータディスプレイ等に用いられる陰極線管装置と当該陰極線管装置に用いられる偏向ヨークに関し、特に、偏向ヨークの構造に関する。
【０００２】
【従来の技術】
偏向ヨークの種類の一つに、いわゆるスロットコアを備えたものがある。スロットコアとは、らっぱ状をしたフェライトコアの内面に、小径側から大径側に至る溝が周方向に複数本形成されてなるものである。そして、当該フェライトコアに垂直偏向コイルと水平偏向コイルが、前記溝に案内されて巻装されている。
【０００３】
このような構成をした偏向ヨークは、単純なラッパ状をし滑らかな内面を有するフェライトコアで構成された偏向ヨークに対して以下の利点を有する。
フェライトコアを陰極線管により近づけることができるため、偏向感度が向上する。また、偏向コイルに磁束が鎖交しにくくなるので、渦電流損失が低減され、偏向ヨークの発熱が抑制される。
【０００４】
【特許文献１】
特開平１１−７８９１号公報
【０００５】
【特許文献２】
実公平７−３５２８９号公報
【０００６】
【発明が解決しようとする課題】
ところで、スロットコアを採用した偏向ヨークにおける課題の一つに、偏向ヨークの生産性を確保したまま垂直偏向コイルと水平偏向コイルとの間の絶縁をいかに図るかといったテーマがある。すなわち、上記単純なラッパ状をしたフェライトコアであれば、その内面側に配される垂直偏向コイルと水平偏向コイルとの間に、同じく単純なラッパ状をした絶縁枠を挟み込むだけで、両コイルの絶縁は図れる。ところが、スロットコアの場合には、その各溝に垂直偏向コイルと水平偏向コイルとが配設されているので、そう簡単にはいかないのである。
【０００７】
上記の課題を解決したものとして、例えば、特許文献１に開示された偏向ヨークがある。この偏向ヨークでは、ラッパ状をした絶縁枠全体をスロットコアの溝形状に合わせて凹凸に形成している。そして、垂直偏向コイルをスロットコアの溝に直に巻回した後、上記絶縁枠をスロットコアの溝に合わせてはめ込む。そして、次に、絶縁枠の内面側の溝に水平偏向コイルを巻回している。これによれば、スロットコアの溝に合わせて形成された絶縁枠を、垂直コイルの巻回後に、スロットコアにはめ込むといった極簡単な作業によって、両偏向コイルの絶縁が図れるので、生産性を損なうことがない。
【０００８】
また、スロットコア採用した偏向ヨークにおける別の課題として、いかにして所望の偏向磁界分布を得るかといったテーマがある。これは、以下の事情に起因する。すなわち、上記したように、スロットコアでは、その溝に沿って偏向コイルを巻回していく関係上、偏向磁界分布を決定する偏向コイルの巻線パターンは、当該溝形状（溝パターン）に拘束される。一方、スロットコア（フェライトコア）は、その製造上の理由から、形成可能な溝パターンの自由度が低いためである。上記した特許文献１に開示された偏向ヨークでは、スロットコアに直に巻回される垂直偏向コイルは勿論、水平偏向コイルも結果的に、その巻線パターンはスロットコアの溝パターンに拘束されてしまい、自由度の低いものとなっている。
【０００９】
上記別の課題に対処したものとして、例えば、特許文献２に開示された偏向ヨークがある。この偏向ヨークの用いられるラッパ状のフェライトコアは、その小径側半分の領域のみに溝を形成し、大径側半分の領域の内面は、凹凸のない滑らかな面とし、当該大径側領域における巻線パターンの自由度を確保しようとするものである。しかしながら、当該特許文献２には、偏向コイルの具体的な案内手段はおろか、両偏向コイルの絶縁手段について何ら開示されていない。
【００１０】
本発明は、上記した課題に鑑み、水平偏向コイルと垂直偏向コイル間の絶縁を確実なものとすると共に、巻線パターンの自由度を高めた偏向ヨーク、および当該偏向ヨークを用いた陰極線管装置を提供することを目的とする。
【００１１】
【課題を解決するための手段】
上記の目的を達成するため、本発明に係る偏向ヨークは、陰極線管の外周に配される偏向ヨークであって、漏斗状をした磁性体からなり、内周面において小径側端部から大径側端部に至る途中まで、畝状をした凸部が周方向所定の間隔で複数本形成され、隣接する凸部でコア溝が形成されていると共に、大径側端部寄りの残余の内周が滑らかな面に仕上げられてなるコアと、一部が前記コア溝に案内されて当該コアに巻装されている第１の偏向コイルと、前記第１の偏向コイルの内側に配された第２の偏向コイルと、前記第１の偏向コイルと第２の偏向コイルとに挟まれた枠体であって、前記コアの前記滑らかな面に対応する部分および／または前記大径側端部から前記陰極線管の管軸方向にはみ出した部分に前記管軸方向に沿う案内溝が前記周方向に複数条形成されてなる絶縁枠とを有し、前記第２の偏向コイルは、その一部が前記案内溝に案内されて巻装されていることを特徴とする。
【００１２】
また、前記案内溝が、前記コア溝とは前記周方向異なる間隔で形成されていることを特徴とする。
また、前記第２の偏向コイルは、その一部が前記コア溝に配設されており、前記絶縁枠は、前記滑らかな面に対応する部分から前記コア溝毎に延出され、短冊状をした帯状部を有することを特徴とする。
【００１３】
さらに、前記絶縁枠は、前記帯状部の各端部を連結するリング部を有することを特徴とする。
また、前記第２の偏向コイルは、その一部が前記コア溝に配設されており、前記絶縁枠は、前記滑らかな面に対応する部分から前記コア溝毎に延出され、前記コア溝の横断面形状に適合した横断面に形成された帯状部を有することを特徴とする。
【００１４】
また、前記絶縁枠は、前記コアの前記コア溝の存する領域に対応する部分が、当該領域の凹凸に適合するひだ状をした筒状部を有することを特徴とする。
また、前記第２の偏向コイルは、その一部が前記コア溝に配設されて巻装されており、前記案内溝が前記コア溝と、前記管軸方向に所定の間隔を隔てて設けられていることを特徴とする。
【００１５】
上記の目的を達成するため、本発明に係る陰極線管装置は、陰極線管と、当該陰極線管の外周に配された、上記の偏向ヨークとを備えることを特徴とする。
【００１６】
【発明の実施の形態】
以下、本発明の実施の形態について、図面を用いて説明する。
（実施の形態１）
図１は、実施の形態に係るカラー陰極線管装置１０の概略側面図である。カラー陰極線管装置１０は、内面に蛍光体スクリーンが形成された前面平面パネル１２とファンネル１４とが接合されてなる外囲器１６、前記ファンネル１４のネック部内に設置された電子銃１８、ファンネル１４の外周に配された偏向ヨーク２０、およびコンバーゼンスヨーク２２とを有する。なお、図１は、上記各部材の位置関係を示すに留まり、偏向ヨーク２０をはじめとする各部材は非常に簡略化して表している。
【００１７】
図２は、前記偏向ヨーク２０を蛍光体スクリーン側からみた正面図である。本明細書において、Ｘは水平軸を、Ｙは垂直軸をそれぞれ示している。また、前記両軸が交わる原点（０点）において当該両軸と直角に交わる軸がＺ軸（管軸）である。
また、図３は図２におけるＡ−Ａ断面を示す。図４は、同じくＢ−Ｂ断面を示す。
【００１８】
図２〜図４に示すように、偏向ヨーク２０は、磁性材料からなり漏斗状をしたコア２４を有し、当該コア２４の内側に、垂直偏向コイル２６、絶縁枠２８、および水平偏向コイル３０がこの順に配されて構成されている。なお、前記磁性材料として、本実施の形態では、フェライトを用いている。以降、コア２４をフェライトコア２４と称することとする。
【００１９】
また、フェライトコア２４は、図１に示すように、電子銃１８側端部の径よりも蛍光体スクリーン（前面平面パネル１２）側端部の径の方が大きく形成されたラッパ状をしている。すなわち、フェライトコア２４は、電子銃１８側から蛍光体スクリーン側に向けて拡径された略円筒状である。
図５は、垂直偏向コイル２６が巻装されてなるフェライトコア２４の正面図である。
【００２０】
フェライトコア２４の内面には、Ｚ軸（管軸）方向に沿いＺ軸に向かって突出する畝状をした凸部（以下、「コア凸部」と言う。）Ｒが、周方向に等間隔で複数本形成されている。本例では、１８°間隔で２０本形成されている。コア凸部Ｒは、図４、図５に示すように、小径側端部（電子銃側端部）から大径側端部（蛍光体スクリーン側端部）に至るほぼ半ばまで形成されている。図５に示すように、フェライトコア２４を正面から（蛍光体スクリーン側から）見ると、コア凸部Ｒは、放射状に設けられていることがわかる。ここで、Ｘ軸上にあるコア凸部Ｒの内、図５の紙面に向かって右側のコア凸部をＲ１とし、当該Ｒ１から反時計回りに連番を付して、各コア凸部Ｒ１〜Ｒ２０を区別することとする。
【００２１】
上記のようにコア凸部Ｒが形成されている結果、隣接するコア凸部Ｒによって溝（以下、「コア溝」と言う。）Ｓが形成されることとなる。ここで、コア凸部Ｒ１とコア凸部Ｒ２とで形成されるコア溝をＳ１とし、当該Ｓ１から反時計回りに連番を付して、各コア溝Ｓ１〜Ｓ２０を区別することとする。
また、フェライトコア２４の内面におけるＺ軸（管軸）方向、コア凸部Ｒの形成されていない（コア溝Ｓの形成されていない）残余の部分は、凹凸の無い滑らかな面に仕上げられている。
【００２２】
以下、フェライトコア２４の内面において、コア溝Ｓの形成されている領域をコア溝部と称し、前記滑らかな面に仕上げられている領域を平坦部と称することとする。
また、フェライトコア２４の大径側端部付近における外周の、各コア凸部Ｒ１〜Ｒ２０の延長線上に対応する位置に、突起Ｐが設けられている。突起Ｐは、合成樹脂製のピンがフェライトコア２４の外周に接着されてなるものである。ここで、各突起Ｐについても、コア凸部Ｒと同様の連番を付して、区別することとする。
【００２３】
上記の構成からなるフェライトコア２４に、サドル型の垂直偏向コイル２６が直接巻装されている。
垂直偏向コイル２６は、コア溝部においては、コア溝Ｓ１，Ｓ１０，Ｓ１１，およびＳ２０を除く各コア溝Ｓ２〜Ｓ９，Ｓ１２〜Ｓ１９に配設される形で巻装されている。これにより、垂直偏向コイル２６は、前記コア溝部においては、各コア溝Ｓ２〜Ｓ９，Ｓ１２〜Ｓ１９によって規定される巻線角度で巻回される。
【００２４】
垂直偏向コイル２６は、フェライトコア２４の大径側端部付近の外周においては、前記各突起Ｐに引っ掛ける形で巻装されている。すなわち、突起Ｐによって規定された巻線角度に巻回されることにより、前記平坦部において、所望の巻線分布が実現されている。なお、突起Ｐの設置位置は、上記のものに限らず、コア凸部の位置とは無関係に、任意の位置に設置することとしてもよい。これにより、コア溝の位置にあまり拘束されることのない巻線分布が前記平坦部において実現されることとなる。
【００２５】
図６は絶縁枠２８の一部切り欠き正面図であり、図７は絶縁枠２８の平面図である。
絶縁枠２８は、ファンネル１４の外形に沿ったコーン形状をした合成樹脂製の本体２９を有し、垂直偏向コイル２６と水平偏向コイル３０とを電気的に絶縁する。
【００２６】
本体２９は、蛍光体スクリーン側に向かって広がる絶縁枠コーン部３２と、電子銃側に向かって延びる絶縁枠ネック部３４とから成る。
絶縁枠コーン部３２内面には、Ｚ軸（管軸）方向に沿いＺ軸に向かって突出する畝状をした突起（以下、「案内突起」と言う。）Ｑが、周方向に所定の間隔で設けられている。当該突起Ｑは、屈曲した合成樹脂製のバー材が本体２９内面に接着されてなるものである。突起Ｑは、図６，図７に示すように、本体２９の大径側端部（蛍光体スクリーン側端部）寄りに設けられている。図６に示すように、絶縁枠２８を正面から（蛍光体スクリーン側から）見ると、突起Ｑが放射状に設けられていることがわかる。ここで、Ｘ軸上にある案内突起Ｑの内、図６の紙面に向かって右側の案内突起をＱ１とし、当該Ｑ１から反時計回りに連番を付して、各案内突起Ｑ１〜Ｑ２６を区別することとする。各案内突起Ｑ１〜Ｑ２６の蛍光体スクリーン側端部は、本体２９（絶縁枠コーン部３２）の内面から離間し、当該内面との間で隙間が形成されている。後述するように、案内突起Ｑの当該隙間に対応する部分に水平偏向コイル３０が引っ掛けられて巻装される。
【００２７】
また、上記のように案内突起Ｑが形成されている結果、隣接する案内突起Ｑによって溝（以下、「案内溝」と言う。）Ｇが形成されることとなる。案内溝Ｇが形成される領域は、フェライトコア２４の平坦部および／またはこれよりも蛍光体スクリーン側にあたる部分である。すなわち、絶縁枠２８は、図４に示すようにフェライトコア２４よりも管軸（Ｚ軸）方向蛍光体スクリーン側にはみ出した部分を有するのであるが、前記案内溝Ｇは、本例で示すようにフェライトコア２４の平坦部に対応する部分から前記はみ出した部分にかけて形成する以外に、前記平坦部に対応する部分だけに形成してもよいし、あるいは、前記はみ出した部分だけに形成しても構わないのである。ここで、案内突起Ｑ１と案内突起Ｑ２とで形成される案内溝をＧ１とし、当該Ｇ１から反時計回りに連番を付して、各案内溝Ｇ１〜Ｇ２６を区別することとする。
【００２８】
絶縁枠ネック部３４は、Ｚ軸（管軸）方向に沿ったスリットが所定の幅、所定の長さで複数本開設されている。前記所定の幅は、フェライトコア２４のコア凸部Ｒの幅に、前記所定の長さはコア凸部Ｒの長さに合わせて設定される。このようにスリットが開設された結果、絶縁枠コーン部３２から延出された複数の帯状部材が形成されることとなる。上記のように帯状部材が形成される結果、図７に示すように、絶縁枠ネック部３４は、櫛歯状に見える。ここで、スリットに符号「Ｌ」を帯状部材に符号「Ｔ」を付し、さらに、図６に示すようにこれまでと同様にして連番を付して、各スリットと各帯状部材を区別することとする。
【００２９】
上記の構成からなる絶縁枠２８は、垂直偏向コイル２６の巻装されたフェライトコア２４（図５）に装着される。装着は、絶縁枠２８の絶縁枠ネック部３４側端部を先頭にして、フェライトコア２４の大径側から挿入していく形でなされる。このとき、コア凸部Ｒ１〜Ｒ２に、対応するスリットＬ１〜Ｌ２０が嵌るように、換言すれば、コア溝Ｓ１〜Ｓ２０に、対応する帯状部材Ｔ１〜Ｔ２０が進入するように、絶縁枠２８とフェライトコア２４とをＺ軸（管軸）方向に相対的にスライドさせて装着させる。
【００３０】
当該装着後、絶縁枠２８の各帯状部材Ｔ１〜Ｔ２０の自由端（電子銃側端）を連結すると共に当該連結位置付近において垂直偏向コイル２６と水平偏向コイル３０の絶縁をする、合成樹脂製のドーナッツ状をしたリング部材３６を取り付ける。前記連結は、前記自由端にまたがってアーチをかけるようになされる。リング状部材３６は、上記した他に、各帯状部材Ｔ１〜Ｔ２０の先端の機械的強度の確保や、寸法安定の役割を果たすものである。リング状部材は接着によって帯状部材Ｔ１〜Ｔ２に接合してもよいし、あるいは、両部材の一方に凸部他方に凹部を設け、当該凸部と凹部をはめ込むようにしてもよい。
【００３１】
リング部材３６が装着された後、図２に示すようにサドル型の水平偏向コイル３０が絶縁枠２８に巻装される。
なお、案内突起Ｑは、水平偏向コイル３０が巻き線される領域にのみ設ければよい。図２、図６は、Ｙ軸近傍に案内突起Ｑを設けない例を示す。なお、案内突起Ｑを設ける代わりに、絶縁枠２８の本体２９に案内溝を掘る形としてもよい。
【００３２】
図８は、水平偏向コイル３０の巻装された後の状態における、偏向ヨーク２０をＺ軸（管軸）に垂直な平面で切断した図である。Ｚ軸方向の切断位置は、フェライトコア２４のコア溝部の存する位置である。なお、図８において各偏向コイルの断面は簡略化のためハッチングで示す。図８に示すように、コア溝部において、垂直偏向コイル２６と水平偏向コイル３０は、コア溝Ｓ１〜Ｓ２０に案内されて巻装されている。また、両偏向コイル間は、帯状部材Ｔによって確実に絶縁されている。
【００３３】
一方、フェライトコア２４の平坦部においては、垂直偏向コイル２６は、前記したように、コア溝とは無関係に設置され得る突起Ｐに引っ掛けられて巻装されるので、コア溝部のパターンにあまり拘束されない自由な巻線分布が実現できる。また、フェライトコア２４の平坦部において、水平偏向コイル３０は、
コア溝とは無関係に形成され得る案内溝Ｇに案内されて巻装されるので、コア溝のパターンにあまり拘束されない自由な巻線分布が実現できる。
【００３４】
本実施の形態では、案内溝Ｇをコア溝Ｓとは異なる間隔で形成することにより、平坦部において、コア溝Ｓにあまり拘束されない自由な巻線分布を実現している。
また、本実施の形態では、コア溝Ｓと案内溝ＧとをＺ軸（管軸）方向所定の間隔をおいて形成している。以下、図２において符号３８で指し示す、当該間隔がおかれた領域を「分断領域」と言う。図２は込み入っているため、当該分断領域を線図で示すと煩雑になるので、図６で分断領域３８に相当する領域を示すと、破線で描いた大小２つの円で囲まれる領域となる。このようにすることで、たとえコア溝Ｓと案内溝Ｇとを周方向同じ間隔で形成した場合であっても、分断領域３８において水平偏向コイル３０の巻回方向を変更することが可能となる。例えば、あるコア溝Ｓからその延長上にある案内溝Ｇではなく、その隣の案内溝へと水平偏向コイルを取り回すことが可能となる。これによっても、平坦部においてコア溝のパターンに拘束されない巻線分布が可能となる。
（実施の形態２）
実施の形態２は、実施の形態１とは絶縁枠の構造が異なる以外は、実施の形態１と基本的に同じ構成である。したがって、共通部分の説明は省略し、絶縁枠を中心に説明する。
【００３５】
図９は、実施の形態２に係る絶縁枠４０の側面図であり、図１０は、絶縁枠４０の電子銃側端部を電子銃側から見た図である。図１１は、実施の形態２に係る偏向ヨークをＺ軸（管軸）に垂直な平面で切断した図である。Ｚ軸方向の切断位置は、フェライトコア２４のコア溝部の存する位置である。なお、図９において案内突起Ｑの図示は省略している。
【００３６】
絶縁枠４０は、絶縁枠２８とは、絶縁枠ネック部における断面形状が異なっている。すなわち、コア溝内において垂直偏向コイルと水平偏向コイル間を絶縁する帯状部（以下、「コア溝内絶縁部」と言う。）の断面形状が異なっている。
図１１に示すように、コア溝内絶縁部４２は両サイドに一対のリブ４４を有してコの字の形状となっている。これにより、コア溝内絶縁部４２は機械的強度を強めるとともに、垂直偏向コイル２６と水平偏向コイル３０との絶縁性を高めている。
【００３７】
なお、リング部材４６を備えるのは、実施の形態１の場合と同じである。
（実施の形態３）
実施の形態３は、実施の形態１および２とは絶縁枠の構造が異なる以外は、実施の形態１およびと基本的に同じ構成である。したがって、共通部分の説明は省略し、絶縁枠を中心に説明する。
【００３８】
図１２は、実施の形態３に係る絶縁枠５０の側面図である。図１３は、実施の形態３に係る偏向ヨークをＺ軸（管軸）に垂直な平面で切断した図である。Ｚ軸方向の切断位置は、フェライトコア２４のコア溝部の存する位置である。なお、図１２において案内突起Ｑおよびリング状部材の図示は省略している。
絶縁枠５０は、絶縁枠２８、４０とは、絶縁枠ネック部における断面形状が異なっている。絶縁枠５０は、図１３に示すように、絶縁枠２８，４０のようなスリットが開設されておらず、周方向に連続した形状に形成されている。絶縁枠５０の絶縁枠ネック部５２は、絶縁枠コーン部５４から延出され、コア溝部の凹凸に適合するひだ状になった筒形に形成されている。
【００３９】
以下、より詳細に説明する。
絶縁枠５０は、凹部５６（内側に向かって凸）と絶縁部５８（外側に向かって凸）とが交互に円状に配置された構造を有する。フェライトコア２４のコア凸部Ｒに絶縁枠５０の凹部５６が対応して重なり合い、コア溝Ｓに絶縁枠５０の絶縁部５８が対応して重なり合う構造を有している。フェライトコア２４のコア溝Ｓと絶縁枠５０の絶縁部５８との間には、垂直偏向コイル２６を巻線するための空間が確保されている。また、絶縁枠５０の絶縁部５８の内面側には、水平偏向コイル３０を巻線するための空間が確保されている。
【００４０】
このような形状にすることによって、絶縁枠ネック部の機械的強度が一層高まると共に、両偏向コイル間の絶縁をより確実なものとすることができる。
偏向ヨークの組み立て手順は、実施の形態１の場合と同様である。よって、一部繰り返しになるが、当該手順を説明する。
まず、フェライトコア２４のコア溝Ｓに沿って垂直偏向コイル２６を巻き線する。次に、フェライトコア２４の蛍光体スクリーン側（径大側）から絶縁枠５０を挿入していく。図１３に示すように、コア溝Ｓの開口部の幅（円周方向）は、絶縁枠５０の絶縁部５８の先端部の幅よりも小さい。そこで、コア溝Ｓと絶縁部５８の位置を合わせ、互いにＺ軸方向にスライドさせて、各コア溝Ｒに絶縁枠５０の対応する絶縁部５８を挿入する。このようにしてフェライトコア２４と絶縁枠５０とを一体化した後、リング状部材（不図示）を取着し、そして、絶縁部５８の内面の溝に沿って、水平偏向コイル３０を巻き線する。
【００４１】
【発明の効果】
以上説明したように、本発明に係る偏向ヨークによれば、漏斗状をしたコア内面の滑らかな面に対応する部分および／または当該コアの大径側端部から陰極線管の管軸方向にはみ出した部分に前記管軸方向に沿う案内溝が前記周方向に複数条形成されてなる絶縁枠を有し、前記案内溝に第２の偏向コイルが案内されて巻装されているので、コア内周面の小径側端部から大径側端部に至る途中まで形成されたコア溝にあまり拘束されることなく第２の偏向コイルの巻線パターンの自由度を高めることが可能となる。
【００４２】
また、本発明に係る陰極線管装置によれば、陰極線管の外周に上記偏向ヨークが配されているので、上述したのと同様の効果が得られる。
【図面の簡単な説明】
【図１】陰極線管装置の概略構成を示す側面図である。
【図２】偏向ヨークの概略構成を示す正面図である。
【図３】図２におけるＡ−Ａ線断面図である。
【図４】図２におけるＢ−Ｂ線断面図である。
【図５】垂直偏向コイルが巻装されたフェライトコアの正面図である。
【図６】絶縁枠の正面図である。
【図７】絶縁枠の一部を示す側面図である。
【図８】偏向ヨークを陰極線管の管軸に垂直な平面で切断した断面図である。
【図９】実施の形態２に係る偏向ヨークの絶縁枠の側面図である。
【図１０】実施の形態２に係る絶縁枠の電子銃側端部のみを当該電子銃側から見た図である。
【図１１】実施の形態２に係る偏向ヨークを陰極線管の管軸に垂直な平面で切断した断面図である。
【図１２】実施の形態３に係る偏向ヨークの絶縁枠の一部を示す側面図である。
【図１３】実施の形態３に係る偏向ヨークを陰極線管の管軸に垂直な平面で切断した断面図である。
【符号の説明】
１０　　カラー陰極線管装置
２０　　偏向ヨーク
２４　　フェライトコア
２６　　垂直偏向コイル
２８，４０，５０　　絶縁枠
３０　　水平偏向コイル
３６　　リング状部材
４２　　コア溝内絶縁部
５２　　絶縁枠ネック部
Ｇ１〜Ｇ２０　　案内溝
Ｒ１〜Ｒ２０　　コア凸部
Ｓ１〜Ｓ２０　　コア溝
Ｔ１〜Ｔ２０　　帯状部材
【図１】
2004071541.tif 000003
【図２】
2004071541.tif 000004
【図３】
2004071541.tif 000005
【図４】
2004071541.tif 000006
【図５】
2004071541.tif 000007
【図６】
2004071541.tif 000008
【図７】
2004071541.tif 000009
【図８】
2004071541.tif 000010
【図９】
2004071541.tif 000011
【図１０】
2004071541.tif 000012
【図１１】
2004071541.tif 000013
【図１２】
2004071541.tif 000014
【図１３】
2004071541.tif 000015